(57)【要約】【課題】面光源装置の平面視形状の設計の自由度を向上させる。【解決手段】面光源装置２０の照度分布調整板４０は、複数の光透過孔４５が形成された基材４１を備え、基材は、１以上の区画領域Ａａを有し、各区画領域は、平面視において長辺４２及び短辺４３を有する長方形形状を有し、各区画領域において、当該区画領域は、規則的に配列された複数の要素領域Ａｂにさらに区分けされ、基材の法線方向に沿って光源に投影したときに光源と重なる所定の領域以外の領域に位置する要素領域には、それぞれ一つの光透過孔が形成され、光透過孔は、当該光透過孔が形成された要素領域の面積に対する所定の開口率を有し、任意の光透過孔の中心と、当該光透過孔の開口率と等しい開口率を有する他の光透過孔の中心又は当該光透過孔の開口率と等しい開口率を有すると仮定した仮想等開口率点Ｐと、を通る等開口率線Ｌは、平面視において、長辺と平行に延びる長軸５２を有する楕円形状を有する。【選択図】図１
2019061739.tif 000002
【特許請求の範囲】
【請求項１】
光源と、前記光源と対向して配置され前記光源から出射した光の照度分布を調整する照度分布調整板とを備えた面光源装置であって、
前記照度分布調整板は、
前記光を透過させる複数の光透過孔が形成された基材を備え、
前記基材は、１以上の区画領域を有し、
各区画領域は、平面視において長辺及び短辺を有する長方形形状を有し、
各区画領域において、
当該区画領域は、規則的に配列された複数の要素領域にさらに区分けされ、
前記基材の法線方向に沿って前記光源に投影したときに前記光源と重なる所定の領域以外の領域に位置する要素領域には、それぞれ一つの前記光透過孔が形成され、
前記光透過孔は、当該光透過孔が形成された要素領域の面積に対する所定の開口率を有し、
任意の前記光透過孔の中心と、当該光透過孔の開口率と等しい開口率を有する他の光透過孔の中心又は当該光透過孔の開口率と等しい開口率を有すると仮定した仮想等開口率点と、を通る等開口率線は、平面視において、前記長辺と平行に延びる長軸を有する楕円形状を有する、面光源装置。
【請求項２】
光源と対向して配置され前記光源から出射した光の照度分布を調整する照度分布調整板であって、
前記光を透過させる複数の光透過孔が形成された基材を備え、
前記基材は、１以上の区画領域を有し、
各区画領域は、平面視において長辺及び短辺を有する長方形形状を有し、
各区画領域において、
当該区画領域は、規則的に配列された複数の要素領域にさらに区分けされ、
前記基材の法線方向に沿って前記光源に投影したときに前記光源と重なる所定の領域以外の領域に位置する要素領域には、それぞれ一つの前記光透過孔が形成され、
前記光透過孔は、当該光透過孔が形成された要素領域の面積に対する所定の開口率を有し、
任意の前記光透過孔の中心と、当該光透過孔の開口率と等しい開口率を有する他の光透過孔の中心又は当該光透過孔の開口率と等しい開口率を有すると仮定した仮想等開口率点と、を通る等開口率線は、平面視において、前記長辺と平行に延びる長軸を有する楕円形状を有する、照度分布調整板。
【発明の詳細な説明】
【技術分野】
【０００１】
本発明は、面光源装置、及び、この面光源装置に用いられる照度分布調整板に関する。
【背景技術】
【０００２】
面状に発光する面光源装置が、例えば液晶表示装置に組み込まれた液晶表示パネルを背面側から照明するバックライトとして、広く普及している。液晶表示装置用の面光源装置は、大別すると、光学部材の側方に光源を配置するエッジライト型と、光学部材の直下に光源を配置する直下型と、に分類される。光源としては、例えば発光ダイオード（ＬＥＤ）が用いられる。
【０００３】
車載用の液晶表示装置においては、薄型化が容易である点から、従来、バックライトとしてエッジライト型の面光源装置が用いられてきた。このような車載用の液晶表示装置では、窓から差し込む外光の下での視認性を確保するために、明るく表示することが求められる。エッジライト型の面光源装置でできるだけ明るい表示を得ようとすると、光学部材の側方に多数の光源を密に配置する必要がある。ここで、車載用の液晶表示装置は狭い空間に配置されることが多く、この狭い空間内に多数の光源が密に配置されると、光源から生じる熱を十分に放熱することができなくなる。すなわち、車載用の液晶表示装置のバックライトとして、エッジライト型の面光源装置を用いた場合、十分な明るさを得ようとすると、光源から生じる熱を十分に放熱することができずに液晶表示装置が高温になり、誤動作を生じる虞もある。その一方、バックライトとして直下型の面光源装置を用いることができれば、複数の光源を互いに離間して配置することができるので、光源から生じる熱を適切に放熱することができる。したがって、車載用の液晶表示装置においては、バックライトとして直下型の面光源装置を用いながら、この面光源装置を薄型化することが求められる。
【０００４】
直下型の面光源装置において、面光源装置を薄型化しながらムラのない映像を表示するために、光源と液晶表示パネルとの間に照度分布調整板を配置して、この照度分布調整板により面光源装置の発光面内の照度分布を調整する技術が知られている。
【０００５】
特許文献１には、ＬＥＤ光源と、光を透過せずに光を反射する材質からなる反射プレートと、を有する照明ユニットが開示されている。反射プレートにはマトリクス状に配列された複数の光通過孔が形成されている。複数の光通過孔の各々の開口面積は、ＬＥＤ光源と対向する対向部からの距離が短いほど小さくなっている。このような照明ユニットによれば、ＬＥＤ光源から直接到達する光の密度が高い位置に近い光通過孔ほど光通過量が少なくなり、ＬＥＤ光源から直接到達する光の密度が低い位置の光通過孔は光通過量が多くなる。これにより、反射プレートを通過する光の分布を均一に近づけることができ、照明装置の照射光の分布を均一に近づけることができる。
【先行技術文献】
【特許文献】
【０００６】
【特許文献１】特開２０１２−１７４３７２号公報
【発明の概要】
【発明が解決しようとする課題】
【０００７】
特許文献１に開示された照明ユニットでは、反射プレートは平面視において正方形形状を有するように形成されている。したがって、この反射プレートを縦方向及び横方向に配列して形成される照明ユニット全体の平面視形状は、縦方向の長さと横方向の長さとの比が整数どうしの比になる形状に限定される。すなわち、特許文献１に開示された照明ユニットでは、照明ユニット全体の平面視形状の設計に限界があった。
【０００８】
本発明は、このような点に鑑みてなされたものであり、面光源装置の平面視形状の設計の自由度を向上させることを目的とする。
【課題を解決するための手段】
【０００９】
本発明の面光源装置は、
光源と、前記光源と対向して配置され前記光源から出射した光の照度分布を調整する照度分布調整板とを備え、
前記照度分布調整板は、
前記光を透過させる複数の光透過孔が形成された基材を備え、
前記基材は、１以上の区画領域を有し、
各区画領域は、平面視において長辺及び短辺を有する長方形形状を有し、
各区画領域において、
当該区画領域は、規則的に配列された複数の要素領域にさらに区分けされ、
前記基材の法線方向に沿って前記光源に投影したときに前記光源と重なる所定の領域以外の領域に位置する要素領域には、それぞれ一つの前記光透過孔が形成され、
前記光透過孔は、当該光透過孔が形成された要素領域の面積に対する所定の開口率を有し、
任意の前記光透過孔の中心と、当該光透過孔の開口率と等しい開口率を有する他の光透過孔の中心又は当該光透過孔の開口率と等しい開口率を有すると仮定した仮想等開口率点と、を通る等開口率線は、平面視において、前記長辺と平行に延びる長軸を有する楕円形状を有する。
【００１０】
本発明の照度分布調整板は、
光源と対向して配置され前記光源から出射した光の照度分布を調整する照度分布調整板であって、
前記光を透過させる複数の光透過孔が形成された基材を備え、
前記基材は、１以上の区画領域を有し、
各区画領域は、平面視において長辺及び短辺を有する長方形形状を有し、
各区画領域において、
当該区画領域は、規則的に配列された複数の要素領域にさらに区分けされ、
前記基材の法線方向に沿って前記光源に投影したときに前記光源と重なる所定の領域以外の領域に位置する要素領域には、それぞれ一つの前記光透過孔が形成され、
前記光透過孔は、当該光透過孔が形成された要素領域の面積に対する所定の開口率を有し、
任意の前記光透過孔の中心と、当該光透過孔の開口率と等しい開口率を有する他の光透過孔の中心又は当該光透過孔の開口率と等しい開口率を有すると仮定した仮想等開口率点と、を通る等開口率線は、平面視において、前記長辺と平行に延びる長軸を有する楕円形状を有する。
【発明の効果】
【００１１】
本発明によれば、面光源装置の平面視形状の設計の自由度を向上させることができる。
【図面の簡単な説明】
【００１２】
【図１】図１は、本発明による一実施の形態を説明するための図であって、表示パネル及び面光源装置を備えた表示装置の一例を概略的に示す斜視図である。
【図２】図２は、面光源装置の一例を概略的に示す斜視図である。
【図３】図３は、面光源装置に組み込まれた照度分布調整板の一例を示す平面図である。
【図４】図４は、図３のＩＶ−ＩＶ線に対応した面光源装置の断面を示す図である。
【図５】図５は、照度分布調整板の一つの区画領域を示す平面図であって、要素領域及び光透過孔の配置パターンの一例を示す図である。
【図６】図６は、複数の光透過孔を通る等開口率線の例を示す図である。
【図７】図７は、光透過孔及び仮想等開口率点を通る等開口率線の例を示す図である。
【図８】図８は、仮想等開口率点の位置の算出方法について説明するための図である。
【発明を実施するための形態】
【００１３】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００１４】
本明細書において、「板」、「シート」、「フィルム」の用語は、呼称の違いのみに基づいて、互いから区別されるものではない。例えば、「板」は「シート」や「フィルム」と呼ばれ得るような部材をも含む概念であり、したがって、例えば、「照度分布調整板」は、「照度分布調整シート」や「照度分布調整フィルム」と呼ばれる部材と、呼称の違いのみにおいて区別され得ない。
【００１５】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。なお、本明細書において、面及び板状（シート状、フィルム状）の部材の法線方向とは、対象となる面及び板状（シート状、フィルム状）の部材の板面への法線方向のことを指す。
【００１６】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
図１〜図８は、本発明による一実施の形態を説明するための図である。このうち図１は、表示パネルと面光源装置を備えた表示装置の一例を概略的に示す図であり、図２は、面光源装置の一例を概略的に示す斜視図である。
【００１８】
本実施の形態の表示装置１０は、例えば動画、静止画、文字情報や、これらの組み合わせで構成された映像を表示パネル１５に表示する装置である。本実施の形態では、表示装置１０が車載用の液晶表示装置である例について説明するが、これに限られることなく、本発明の表示装置１０は、室内又は屋外において、広告、プレゼンテーション、テレビジョン映像、各種情報の表示等、様々な用途に使用され得る。図１に示された表示装置１０は、出光面２０ａを有する面光源装置２０と、出光面２０ａと対向して配置された表示パネル１５と、を有している。図示された例では、表示パネル１５は液晶表示パネルとして構成されており、したがって表示装置１０は液晶表示装置として構成されている。本実施の形態では、面光源装置２０はいわゆる直下型のバックライトを構成しており、表示パネル１５の背面側すなわち観察者５と反対側から表示パネル１５を照明する。
【００１９】
図示された例では、表示パネル１５は、映像が表示される表示面１５ａが面光源装置２０の反対側を向くように配置されている。これにより、表示パネル１５の表示面１５ａが表示装置１０の表示面１０ａを形成する。表示パネル１５は、表示パネル１５の法線方向から見て、すなわち平面視において、矩形形状に形成されている。
【００２０】
本実施の形態の表示パネル１５は、透過型の液晶表示パネルであり、面光源装置２０から表示パネル１５に入射した光の一部を透過させ、表示面１５ａに映像を表示させる。表示パネル１５は、液晶材料を有する液晶層を含んでおり、表示パネル１５の光透過率は、液晶層に印加される電界の強度に応じて変化する。このような表示パネル１５の一例として、一対の偏光板と、一対の偏光板間に配置された液晶セル（液晶層）と、を有する液晶表示パネルを用いることができる。この液晶表示パネルにおいて、偏光板は、入射した光を直交する二つの偏光成分に分解し、一方の方向の偏光成分を透過させ、前記一方の方向に直交する他方の方向の偏光成分を吸収する機能を有した偏光子を有する。液晶セルは、一対の支持板と、一対の支持板間に配置された液晶と、を有する。液晶セルは、一つの画素を形成する領域毎に電界が印加され得るようになっており、電界が印加された液晶セルの液晶の配向は変化するようになる。面光源装置２０から出射し、液晶セルの面光源装置２０側に配置された偏光板を透過した特定方向（透過軸と平行な方向）の偏光成分は、一例として、電界印加されていない液晶セルを通過する際にはその偏光方向を９０°回転させ、電界印加されている液晶セルを通過する際にはその偏光方向を維持する。これにより、液晶セルへの電界印加の有無によって、液晶セルの面光源装置２０側に配置された偏光板を透過した特定方向の偏光成分が、液晶セルの面光源装置２０と反対側に配置された他の偏光板をさらに透過するか、あるいは、当該他の偏光板で吸収されて遮断されるか、を制御することができる。
【００２１】
面光源装置２０は、面状の光を出射する出光面２０ａを有しており、出光面２０ａの法線方向に出光面２０ａと対向する領域内に光源２２が設けられた、いわゆる直下型のバックライトとして構成されている。本実施の形態の面光源装置２０は、光源２２と、光源２２と対向して配置され光源２２から出射した光の照度分布を調整する照度分布調整板４０とを備えている。図２に示された例では、面光源装置２０は、光源２２を支持するベース積層体３０、スペーサ２３、拡散板２６、第１光学シート２７及び第２光学シート２８をさらに有している。図示された例では、ベース積層体３０上にスペーサ２３及び照度分布調整板４０が順に積層され、照度分布調整板４０から所定の距離だけ離間して、拡散板２６、第１光学シート２７及び第２光学シート２８の積層体が順に配置されている。そして、第２光学シート２８が面光源装置２０の出光面２０ａをなしている。
【００２２】
光源２２は、例えば発光ダイオード（ＬＥＤ）等で構成され、照度分布調整板４０と対向して配置されている。本実施の形態では、図３によく示されているように、光源２２は、面光源装置２０の板面に平行な第１方向ｄ１に沿って並べて配置されるすなわち配列されるとともに、面光源装置２０の板面に平行且つ第１方向ｄ１と交差する第２方向ｄ２に沿って配列される。とりわけ本実施の形態では、第１方向ｄ１と第２方向ｄ２とは直交している。すわなち、本実施の形態では、複数の光源２２が第１方向ｄ１及び第２方向ｄ２に沿って二次元的に配列される。なお、これに限られず、面光源装置２０は、第１方向ｄ１又は第２方向ｄ２に沿って一列に配列された複数の光源２２を有していてもよいし、一つの光源２２のみを有していてもよい。なお、各光源２２の出力、すなわち、各光源２２の点灯及び消灯、及び／又は、各光源２２の点灯時の明るさは、他の光源２２の出力から独立して調節され得ることが好ましい。
【００２３】
図３に示された例では、照度分布調整板４０の輪郭は平面視において矩形形状を有している。第１方向ｄ１及び第２方向ｄ２は任意に定義できるが、図示された例では、第１方向ｄ１は照度分布調整板４０の輪郭をなす矩形形状の１辺と平行をなすように定義され、第２方向ｄ２は当該１辺と直交する他の１辺と平行をなすように定義される。とりわけ図示された例では、第１方向ｄ１は照度分布調整板４０の輪郭をなす矩形形状の長辺と平行をなすように定義され、第２方向ｄ２は当該矩形形状の短辺と平行をなすように定義される。
【００２４】
スペーサ２３は、照度分布調整板４０を支持する部材であり、ベース積層体３０と照度分布調整板４０との間を所定の距離に保つ機能を有している。図２に示されているように、スペーサ２３は、隣り合う二つの光源２２の間を仕切る壁部２４を有しており、これにより、各光源２２に対応して、壁部２４で囲まれた開口２５が形成されている。図示された例では、スペーサ２３は、平面視において、第１方向ｄ１に配列され第２方向ｄ２に延びる複数の壁部２４と、第２方向ｄ２に配列され第１方向ｄ１に延びる複数の壁部２４と、が格子状をなすように配置されている。開口２５は、光源２２の配置パターンに対応して設けられる。すなわち、スペーサ２３は、第１方向ｄ１に配列されるとともに、第２方向ｄ２に配列された、複数の開口２５を有している。本実施の形態では、各開口２５は、平面視において矩形をなして形成されている。このようなスペーサ２３は、例えばポリカーボネート樹脂、アクリロニトリル−ブタジエン−スチレン共重合樹脂（ＡＢＳ樹脂）、アクリロニトリル−スチレン−アクリレート共重合樹脂（ＡＳＡ樹脂）、アクリロニトリル−エチレン−プロピレン−ジエン−スチレン共重合樹脂（ＡＥＳ樹脂）、ポリメチルメタクリレート樹脂（ＰＭＭＡ樹脂）、ポリアセタール樹脂、ポリ塩化ビニル樹脂、ポリエチレン樹脂、ポリプロピレン樹脂、ポリエチレンテレフタレート樹脂、又はこれらの樹脂を２種以上混合した混合物等で形成することができる。とりわけスペーサ２３は、可視光波長域の光に対する高い反射性を有する材料で構成されることが好ましい。
【００２５】
図３は、面光源装置２０に組み込まれた照度分布調整板４０を示す平面図である。図３では、照度分布調整板４０の背面側に配置される光源２２及びスペーサ２３の開口２５の位置が破線で示されている。照度分布調整板４０は、光源２２から出射した光を透過させるための複数の光透過孔４５が形成された基材４１を備えている。なお、図３では、光透過孔４５の図示は省略されている。照度分布調整板４０の基材４１は、各光源２２に対応した１以上の区画領域Ａａを有している。すなわち、基材４１には、一つの光源２２に対して一つの区画領域Ａａが設けられている。したがって、基材４１は、第１方向ｄ１に沿って配列されるとともに、第２方向ｄ２に沿って配列された、複数の区画領域Ａａを有している。図３では、基材４１における一点鎖線で区画された領域がそれぞれの区画領域Ａａを示している。
【００２６】
各区画領域Ａａは平面視において長辺４２及び短辺４３を有する矩形形状（長方形形状）を有している。長辺４２と短辺４３とは、互いに異なる長さを有しており、長辺４２は、短辺４３の長さよりも大きい長さを有している。図３に示された例では、区画領域Ａａの長辺４２は第１方向ｄ１に沿って延びており、区画領域Ａａの短辺４３は第２方向ｄ２に沿って延びている。したがって、区画領域Ａａの長辺４２と照度分布調整板４０の長辺とは平行をなしており、区画領域Ａａの短辺４３と照度分布調整板４０の短辺とは平行をなしている。なお、これに限られず、区画領域Ａａの長辺４２が第２方向ｄ２に沿って延び、区画領域Ａａの短辺４３が第１方向ｄ１に沿って延びていてもよい。この場合、区画領域Ａａの長辺４２と照度分布調整板４０の短辺とが平行をなし、区画領域Ａａの短辺４３と照度分布調整板４０の長辺とが平行をなす。なお、各区画領域Ａａは、規則的に配列された複数の要素領域Ａｂにさらに区分けされる。要素領域Ａｂの具体的な形状及び配列パターンについては後述する。
【００２７】
図３に示された例では、基材４１の隣り合う区画領域Ａａを区画する区画線Ｌａは、スペーサ２３の壁部２４に沿って定義される。言い換えると、区画線Ｌａは、照度分布調整板４０の法線方向に沿ってスペーサ２３の壁部２４と対向する領域内に位置するように定義される。結果として、区画線Ｌａは、全体として、第１方向ｄ１に配列され第２方向ｄ２に延びる複数の区画線Ｌａと、第２方向ｄ２に配列され第１方向ｄ１に延びる複数の区画線Ｌａと、が格子状をなすように定義される。図示された例では、区画領域Ａａの長辺４２は、第１方向ｄ１に延びる区画線Ｌａの一部からなり、区画領域Ａａの短辺４３は、第２方向ｄ２に延びる区画線Ｌａの一部からなる。図示された例では、各区画領域Ａａは、第１方向ｄ１に沿った幅Ｗ１と、第２方向ｄ２に沿った幅Ｗ２とを有する。図３に示された例では、幅Ｗ１は区画領域Ａａの長辺４２に沿った長さに対応し、幅Ｗ２は区画領域Ａａの短辺４３に沿った長さに対応する。この幅Ｗ１及び幅Ｗ２は、例えば５ｍｍ以上５０ｍｍ以下とすることができる。
【００２８】
本実施の形態の照度分布調整板４０は、各区画領域Ａａが、平面視において長辺４２及び短辺４３を有する長方形形状を有しており、長辺４２及び短辺４３の長さを互いに独立して変更することが可能である。したがって、任意の長さの長辺４２及び短辺４３で構成される長方形形状を有した区画領域Ａａを配列して、照度分布調整板４０を構成することができる。したがって、平面視において正方形形状を有する区画領域を配列して構成される従来の照度分布調整板と比較して、照度分布調整板４０の長辺及び短辺の長さを、それぞれ高い自由度で設定することができる。すなわち、面光源装置１０の平面視形状の設計の自由度を向上させることが可能となる。
【００２９】
図４に、図３のＩＶ−ＩＶ線に対応した面光源装置２０の断面を示す。とりわけ図４は、照度分布調整板４０の基材４１における一つの区画領域Ａａに対応する面光源装置２０の断面を示している。
【００３０】
ベース積層体３０は、光源２２を支持するとともに、光源２２に対して電源を供給する機能を有する。図３に示された例では、ベース積層体３０は、基材３１、接合層３２、フィルム基板３３、配線層３４、レジスト層３５及び光反射層３６を有している。
【００３１】
基材３１は、フィルム基板３３、配線層３４、レジスト層３５及び光反射層３６を保持する基材として機能する部材である。基材３１の材料としては、フィルム基板３３、配線層３４、レジスト層３５及び光反射層３６を適切に保持することができるものであれば特に限られないが、例えば金属や樹脂等を用いることができる。とりわけアルミニウム等の熱伝導性の良い金属材料で形成された基材３１を用いると、光源２２で生じた熱をこの基材３１を介して面光源装置２０の背面側へ向けて放熱することができるので、より好ましい。この基材３１の厚さは、例えば０．５ｍｍ以上１０ｍｍ以下とすることができる。なお、基材３１は、面光源装置２０の筐体の一部をなしていてもよい。
【００３２】
フィルム基板３３は、配線層３４を保持する基材として機能する部材であり、配線層３４とともにプリント配線板を形成する。図４に示されたフィルム基板３３は、可撓性を有する樹脂フィルムで形成されており、これによりフィルム基板３３は、配線層３４とともにフレキシブルプリント配線板を形成する。このフィルム基板３３の厚さは、例えば１０μｍ以上５００μｍ以下とすることができる。フィルム基板３３として、従来のリジッド基板よりも薄い基板を用いることにより、面光源装置２０を薄型化することができる。フィルム基板３３の材料としては、絶縁性、耐熱性、耐久性、加熱時の寸法安定性、機械的強度等を考慮して適宜選択され得るが、例えば、ポリイミド（ＰＩ）や、ポリエチレンナフタレート（ＰＥＮ）、ポリエチレンテレフタレート（ＰＥＴ）を用いることができる。
【００３３】
フィルム基板３３は、接合層３２を介して基材３１に固定される。接合層３２は、フィルム基板３３を適切に基材３１に固定できるものであれば特に限られない。一例として、接合層３２として両面テープを用いることができる。その他にも、接合層３２として適宜の接着材や粘着材が用いられてもよい。
【００３４】
配線層３４は、フィルム基板３３上に設けられ、光源２２に対して電源を供給する機能を有する。そのため、配線層３４は、導電性の高い金属材料で形成されることが好ましい。配線層３４を形成する金属材料としては、例えば、銅、アルミニウム、金、銀等又はこれらの合金等の金属材料を挙げることができる。一例として、配線層３４は、サブトラクト法を用いて形成することができる。すなわち、フィルム基板３３上に配置された銅箔等の金属層を、フォトリソグラフィー技術を用いたエッチングによりパターニングすることにより、所望のパターンを有する配線層３４を形成することができる。なお、これに限られず、配線層３４は、アディティブ法やセミアディティブ法等の他の方法を用いて形成されてもよい。なお、配線層３４における、光源２２や他の配線又はコネクタとの接続部には、電極部が設けられる。
【００３５】
配線層３４、及び、配線層３４から露出したフィルム基板３３上には、レジスト層３５が設けられる。とりわけレジスト層３５は、配線層３４の電極部となる箇所を除いて、配線層３４、及び、配線層３４から露出したフィルム基板３３を覆うようにして設けられる。このレジスト層３５は、配線層３４を保護するとともに、配線層３４と他の部材との間の短絡を防止する機能を有する。レジスト層３５の材料としては、例えば、ポリエステル系樹脂、エポキシ系樹脂、エポキシ系及びフェノール系樹脂、エポキシアクリレート樹脂、シリコーン系樹脂等の樹脂材料を用いることができる。レジスト層３５は、一例として、配線層３４及びフィルム基板３３全体を覆うように樹脂層を設け、フォトリソグラフィー技術を用いたエッチングにより配線層３４の電極部となる箇所に、当該電極部を露出させる開口を設けることにより形成することができる。
【００３６】
光反射層３６は、光源２２から出射した光の利用効率を向上させるために設けられる層であり、光源２２から出射して照度分布調整板４０で反射されてその光路を光反射層３６側に向けて曲げられた光を、再び照度分布調整板４０へ向けて反射させる機能を有する。そのため、光反射層３６は、可視光波長域の光に対する高い反射性を有する層であることが好ましい。また、光反射層３６は、照度分布調整板４０の光源２２と同じ側に照度分布調整板４０と平行をなして配置される。図４に示された例では、光反射層３６は、光源２２が配置されるべき箇所を除いて、レジスト層３５上に積層されている。図示された例では、光反射層３６は、平面視において光源２２を囲むようにして配置されている。また、図示された例では、光反射層３６は、レジスト層３５の光源２２を囲む内周縁部を露出させるようにして設けられている。なお、これに限られず、光反射層３６は、例えばレジスト層３５の光源２２を囲む内周縁部が露出しないように、レジスト層３５の内周縁部と光反射層３６の内周縁部が一致するようにして設けられていてもよい。光反射層３６としては、例えば白色の樹脂材料で形成された層を用いることができる。
【００３７】
光源２２は、導電接続層３７を介して配線層３４の電極部に接続されている。導電接続層３７としては、例えば、はんだ、導電性接着剤等からなる層を用いることができる。
【００３８】
拡散板２６は、当該拡散板２６に入射した光を拡散する機能を有した板状部材であり、これにより、照度の面内分布を均一化させ、照度分布調整板４０の光透過孔４５の像を目立たなくさせることができる。拡散板２６としては、光拡散機能を有する部材であれば特に限定されることなく使用可能であるが、例えば、表面に微細な凹凸を有する樹脂板やガラス板、内部に拡散粒子を有する樹脂板やガラス板を用いることができる。
【００３９】
本実施の形態における第１光学シート２７は、光源２２側から入射した光の進行方向を変化させて表示パネル１５側から出射させ、第１光学シート２７の法線方向における照度を集中的に向上させるための集光シートである。本実施の形態の集光シートは、そのシート面上のある方向に沿って配列された複数の単位プリズムを有したシートである。この集光シートとしては、例えば米国３Ｍ社から入手可能な「ＢＥＦ」（登録商標）を用いることができる。
【００４０】
また、本実施の形態における第２光学シート２８は、その透過軸と平行な方向の偏光成分を透過させ、その透過軸に直交する反射軸と平行な方向の偏光成分を反射する反射型偏光板である。この反射型偏光板によれば、面光源装置２０から出射し表示パネル１５で有効に利用され得ない偏光成分の光が、当該表示パネル１５へ入射して偏光板で吸収されてしまうことを防止することができる。したがって、光源光の利用効率を向上させて、照度特性を改善することができる。この反射型偏光板としては、例えば米国３Ｍ社から入手可能な「ＤＢＥＦ」（登録商標）を用いることができる。
【００４１】
このような拡散板２６、第１光学シート２７及び第２光学シート２８としては、いずれも、面光源装置２０の十分な照度を確保する観点から、可視光透過率の高いものを用いることが好ましい。
【００４２】
次に、照度分布調整板４０について詳述していく。図５は、照度分布調整板４０の一つの区画領域Ａａを示す平面図であって、要素領域Ａｂ及び光透過孔４５の配置パターンの一例を示す図である。照度分布調整板４０は、光源２２から出射した光を透過させる複数の光透過孔４５が形成された基材４１を備えている。照度分布調整板４０は、光源２２から出射した光の利用効率を向上させる機能も有しており、当該照度分布調整板４０に入射した光を反射させてその光路を光反射層３６側に向けて曲げることができるように構成されている。このため、照度分布調整板４０の基材４１は、可視光波長域の光に対する高い反射性を有する層であることが好ましい。基材４１は、例えば白色の樹脂材料で形成される。一例として、基材４１は、発泡ポリエチレンテレフタレート（発泡ＰＥＴ）等の発泡樹脂で形成されてもよい。
【００４３】
本実施の形態では、照度分布調整板４０は、低い光透過性を有する材料で形成された基材４１を有し、光透過孔４５は、基材４１に形成された物理的な孔、すなわち対向する基材４１の二つの主面のうちの一方の主面から他方の主面へ延びる貫通孔として形成されているが、光透過孔４５の具体的構成は、これに限られない。光透過孔４５は、照度分布調整板４０の板面への法線方向の一方側から他方側へ光が透過可能な部分として形成されていればよく、例えば、照度分布調整板４０が、光透過性を有する板状の透明基材と、この透明基材上とりわけ透明基材の光源２２側の主面上に設けられた光反射層と、を有し、光透過孔４５が、この光反射層内に設けられた開口部として構成されてもよい。この場合、透明基材には物理的な孔を設けなくてもよい。
【００４４】
図４に示されているように、光源２２から照度分布調整板４０へ向けて出射した光は、照度分布調整板４０で反射されて光反射層３６側へ向けて進む。光反射層３６に入射した光は、当該光反射層３６で反射されて照度分布調整板４０へ向けて進む。これを繰り返した光が照度分布調整板４０の光透過孔４５のいずれかに入射すると、当該光は光透過孔４５を透過して照度分布調整板４０から表示パネル１５側（図４では拡散板２６側）へ向けて出射する。このとき、光源２２から出射して照度分布調整板４０と光反射層３６との間で反射を繰り返しながら照度分布調整板４０の板面と略平行な方向（一例として図４の第１方向ｄ１）に進む光は、光源２２から離れるにしたがって照度が低下していく。しかし、本実施の形態の照度分布調整板４０では、上述のように、複数の光透過孔４５が、光源２２の直上に対面する区画領域Ａａの中心Ｏ１から離れるほどその開口面積が大きくなるパターンにて配置されている。これにより、各光透過孔４５を透過して出射する光の照度の均一化が図られる。なお、スペーサ２３が、可視光波長域の光に対する高い反射性を有する材料で構成されている場合、照度分布調整板４０の板面と略平行な方向に進み、スペーサ２３の壁部２４に入射した光は、当該スペーサ２３で反射され光源２２側へ向けてその光路を曲げられる。これにより、光源２２から出射した光の利用効率をさらに向上させることができる。
【００４５】
区画領域Ａａは、規則的に配列された複数の要素領域Ａｂにさらに区分けされる。図５〜図７を参照して、要素領域Ａｂ、及び、各要素領域Ａｂ内に形成される光透過孔４５について説明する。図５は、照度分布調整板４０の一つの区画領域Ａａを示す平面図であって、要素領域Ａｂ及び光透過孔４５の配置パターンの一例を示す図である。
【００４６】
図示された例では、要素領域Ａｂは、第１方向ｄ１に沿って配列されるとともに、第２方向ｄ２に沿って配列されている。すわなち、本実施の形態では、複数の要素領域Ａｂが第１方向ｄ１及び第２方向ｄ２に沿って二次元的に配列されている。図５では、二点鎖線で区画された領域がそれぞれの要素領域Ａｂを示している。図示された例では、各要素領域Ａｂは平面視で矩形形状、とりわけ正方形形状、の輪郭を有しているが、要素領域Ａｂの形状はこれに限られない。例えば、各要素領域Ａｂは、平面視において三角形、六角形等の他の形状からなる輪郭を有していてもよい。なお、本明細書において、複数の要素領域Ａｂが「規則的に配列」されるとは、同一の形状及び大きさを有する複数の要素領域Ａｂが同一のピッチで並べられていることを意味している。図５に示された例では、複数の要素領域Ａｂが全て同一の形状及び大きさを有しているが、これに限られず、複数の要素領域Ａｂは、２種類以上の形、大きさ又は向きを有していてもよい。
【００４７】
図５には、照度分布調整板４０の背面側に配置される光源２２の位置が破線で示されている。複数の要素領域Ａｂは、基材４１の法線方向に沿って光源２２に投影したときに光源２２と重なる要素領域Ａｂ０を含んでいる。要素領域Ａｂ０が、基材４１の法線方向に沿って光源２２に投影したときに光源２２と重なるとは、当該要素領域Ａｂ０の少なくとも一部が、基材４１の法線方向に沿って光源２２に投影したときに光源２２と重なることを指す。例えば、複数の要素領域Ａｂ０に共有された頂点及び／又は辺が、基材４１の法線方向に沿って光源２２に投影したときに光源２２の中心と重なるように、複数の要素領域Ａｂが配置されている場合には、当該頂点及び／又は辺を含む複数の要素領域Ａｂ０がそれぞれ、基材４１の法線方向に沿って光源２２に投影したときに光源２２と重なることになる。
【００４８】
図５に示された例では、要素領域Ａｂ０以外の要素領域Ａｂには、それぞれ一つの光透過孔４５が形成されている。言い換えると、要素領域Ａｂ０以外の各要素領域Ａｂは、それぞれ一つの光透過孔４５が含まれるようにして定義される。したがって、図示された例では、第１方向ｄ１に隣り合う二つの光透過孔４５の間、及び、第２方向ｄ２に隣り合う二つの光透過孔４５の間に、それぞれ隣り合う要素領域Ａｂを区画する区画線Ｌｂが位置するようになる。結果として、図示された例では、区画線Ｌｂは、全体として、第１方向ｄ１に配列され第２方向ｄ２に延びる複数の区画線Ｌｂと、第２方向ｄ２に配列され第１方向ｄ１に延びる複数の区画線Ｌｂと、が格子状をなすように定義される。各要素領域Ａｂは、第１方向ｄ１に沿った幅Ｗ３と、第２方向ｄ２に沿った幅Ｗ４とを有する。この幅Ｗ３及び幅Ｗ４は、例えば０．２ｍｍ以上１０ｍｍ以下とすることができる。
【００４９】
要素領域Ａｂ０、及び、要素領域Ａｂ０の近傍に位置する要素領域Ａｂの中には、光透過孔４５が形成されていない要素領域Ａｂが存在してもよい。すなわち、照度分布調整板４０の平面視において、基材４１の法線方向に沿って光源２２に投影したときに光源２２と重なる所定の領域内に位置する要素領域Ａｂの中には、光透過孔４５が形成されていない要素領域Ａｂが存在してもよい。換言すると、基材４１の法線方向に沿って光源２２に投影したときに光源２２と重なる所定の領域以外の領域に位置する要素領域Ａｂに、それぞれ一つの光透過孔４５が形成される。図５に示された例では、要素領域Ａｂ０には光透過孔４５が形成されておらず、要素領域Ａｂ０以外の要素領域Ａｂに、それぞれ一つの光透過孔４５が形成されている。これに限られず、要素領域Ａｂ０にも光透過孔４５が形成されてもよい。すなわち、要素領域Ａｂ０を含めて全ての要素領域Ａｂに、それぞれ一つの光透過孔４５が形成されてもよい。ここで、要素領域Ａｂが所定の領域以外の領域に位置するとは、当該要素領域Ａｂの中心（本実施の形態では当該要素領域Ａｂに形成された光透過孔４５の中心）が、所定の領域以外の領域に位置することを意味する。なお、所定の領域は、一例として、区画領域Ａａにおける、基材４１の法線方向に沿って光源２２に投影したときに光源２２の中心と重なる点、すなわち本実施の形態では区画領域Ａａの中心Ｏ１、から基材４１の板面方向に沿って５ｍｍ以内の距離にある領域とすることができる。この場合、所定の領域は、基材４１の平面視において、中心Ｏ１を中心とする半径５ｍｍの円の輪郭及び内部となる。
【００５０】
図５に示された例では、各光透過孔４５の中心と当該光透過孔４５が配置された要素領域Ａｂの中心とは一致している。各光透過孔４５は、平面視において円形の輪郭を有している。この場合、光源２２から出射して各光透過孔４５を透過した光は、当該光透過孔４５から、基材４１の板面方向において等方的に出射する。したがって、面光源装置２０から出射する照明光の照度の面内均一性を向上させることができる。ただし、これに限られず、各光透過孔４５は、平面視において楕円形、三角形、矩形、六角形等の他の平面形状を有するように形成してもよい。
【００５１】
なお、図５に示された例では、要素領域Ａｂ０には光透過孔４５が形成されていないが、これに限られず、要素領域Ａｂ０にも光透過孔４５が形成されていてもよい。すなわち、区画領域Ａａに含まれるすべての要素領域Ａｂに、それぞれ一つの光透過孔４５が形成されていてもよい。
【００５２】
光透過孔４５は、当該光透過孔４５が形成された要素領域Ａｂの面積に対する所定の開口率を有している。本明細書において、光透過孔４５の開口率とは、照度分布調整板４０の平面視における、光透過孔４５の面積Ｓａの、当該光透過孔４５が形成された要素領域Ａｂの面積Ｓｂに対する割合（Ｓａ／Ｓｂ）を指す。
【００５３】
光透過孔４５の寸法は、要素領域Ａｂ０から区画領域Ａａの周縁に向かうにつれて大きくなるように変化している。その一方、照度分布調整板４０の平面視において、複数の要素領域Ａｂは互いに同一の面積を有している。したがって、光透過孔４５の開口率は、要素領域Ａｂ０から区画領域Ａａの周縁に向かうにつれて大きくなるように変化する。ただし、図５に示された例では、区画領域Ａａの周縁近傍において、とりわけ区画領域Ａａの隅部近傍において、光透過孔４５の開口率が一定となる領域を有している。
【００５４】
任意の光透過孔４５の中心と、当該光透過孔４５の開口率と等しい開口率を有する他の光透過孔４５の中心又は当該光透過孔４５の開口率と等しい開口率を有すると仮定した仮想等開口率点Ｐと、を通る線を、等開口率線５０とする。図５に、等開口率線５０の例を一点鎖線で示す。
【００５５】
図６は、複数の光透過孔４５を通る等開口率線５０の例を示す図であり、図７は、光透過孔４５及び仮想等開口率点Ｐを通る等開口率線５０の例を示す図である。図５〜図７に示すように、等開口率線５０は、平面視において楕円形状を有している。とりわけ、等開口率線５０は、平面視において、区画領域Ａａの長辺４２と平行に延びる長軸５２を有する楕円形状を有している。さらに詳細には、等開口率線５０は、長軸５２と、長軸５２と直交する短軸５３とを有している。長軸５２と短軸５３とは、互いに異なる長さを有しており、長軸５２は、短軸５３の長さよりも大きい長さを有している。
【００５６】
任意の光透過孔の中心を通る等開口率線５０を画定する方法について説明する。図６に示された例では、任意の光透過孔４５１の中心と、当該光透過孔４５１の開口率と等しい開口率を有する他の光透過孔４５１の中心と、を通る曲線が等開口率線５０である。この等開口率線５０が平面視において楕円形状をなす場合、任意の光透過孔４５１の中心を通る等開口率線５０が楕円形状を有するものとする。換言すると、平面視において、任意の光透過孔４５１の中心と、当該光透過孔４５１の開口率と等しい開口率を有する他の光透過孔４５１の中心と、を通る楕円が一つに定まるときに、当該楕円からなる等開口率線５０が画定される。すなわち、任意の光透過孔４５１の中心と、当該光透過孔４５１の開口率と等しい開口率を有する他の光透過孔４５１の中心を通る等開口率線５０が、平面視において楕円形状を有するとは、等しい開口率を有する複数の光透過孔４５１を通る楕円が一つに定まることであるともいえる。
【００５７】
図７に示された例では、等しい開口率を有する四つの光透過孔４５２を通る楕円は、一つに定まらない。この場合、区画領域Ａａ内に、光透過孔４５２と等しい開口率を有すると仮定した仮想等開口率点Ｐの位置を算出し、光透過孔４５２の中心と仮想等開口率点Ｐとを通る曲線を等開口率線５０とする。仮想等開口率点Ｐは、当該点Ｐを中心とする光透過孔が存在したとすると、この光透過孔は、光透過孔４５２の開口率と等しい開口率を有するであろうと想定できる仮想的な点である。この等開口率線５０が平面視において楕円形状をなす場合、任意の光透過孔４５２の中心及び仮想等開口率点Ｐを通る等開口率線５０が楕円形状を有するものとする。
【００５８】
図８を参照して、仮想等開口率点Ｐの位置の算出方法について説明する。図８は、図７におけるＶＩＩＩが付された一点鎖線で囲まれた部分を拡大して示す図である。まず、区画領域Ａａ内に位置する隣り合う二つの光透過孔４５３ａ，４５３ｂであって、一方の光透過孔４５３ａの開口率が光透過孔４５２の開口率よりも小さく、他方の光透過孔４５３ｂの開口率が光透過孔４５２の開口率よりも大きい、二つの光透過孔４５３ａ，４５３ｂを特定する。
【００５９】
仮想等開口率点Ｐは、光透過孔４５３ａの中心Ｏａと光透過孔４５３ｂの中心Ｏｂとを結ぶ線分Ｌｃ上において、中心Ｏａから中心Ｏｂへ向かって距離ａだけ離間した位置に存在するものとする。このとき、距離ａは、光透過孔４５３ａの開口率をＲａ、光透過孔４５３ｂの開口率をＲｂ、中心Ｏａと中心Ｏｂとの間の距離をＤとして、以下の式（１）で求めることができる。
ａ＝（Ｒｂ／（Ｒａ＋Ｒｂ））×Ｄ  ・・・式（１）
【００６０】
このようにしてその位置が算出された仮想等開口率点Ｐを用いて、平面視において、任意の光透過孔４５２の中心と、当該光透過孔４５２の開口率と等しい開口率を有すると仮定した仮想等開口率点Ｐと、を通る楕円が一つに定まるときに、当該楕円からなる等開口率線５０が画定される。すなわち、任意の光透過孔４５２の中心と、当該光透過孔４５２の開口率と等しい開口率を有すると仮定した仮想等開口率点Ｐを通る等開口率線５０が、平面視において楕円形状を有するとは、光透過孔４５２の中心と仮想等開口率点Ｐとを通る楕円が一つに定まることであるともいえる。
【００６１】
図５に示された例では、任意の等開口率線Ｌの内側には、当該等開口率線Ｌにおける開口率よりも大きい開口率を有した光透過孔４５は存在しない。また、任意の等開口率線Ｌの外側には、当該等開口率線Ｌにおける開口率よりも小さい開口率を有した光透過孔４５は存在しない。
【００６２】
特許文献１に開示された従来の照明ユニットでは、複数の光透過孔は、真円形状を有する等開口率線を形成するように配置されていた。ここで、長方形形状を有する区画領域内に、真円形状を有する等開口率線を形成するように複数の光透過孔を配置した場合、区画領域の長辺近傍の光透過孔の開口率が短辺近傍の光透過孔の開口率と大きく異なることになる。詳細には、区画領域の長辺近傍とりわけ長辺の中央近傍の光透過孔の開口率は、区画領域の短辺近傍の光透過孔の開口率よりも小さくなる。これにより、区画領域の長辺近傍と短辺近傍とで、照度分布調整板から出射する光の照度にムラが生じ得る。すなわち、照度分布調整板を備えた面光源装置の出光面内に照度ムラを生じ得る。
【００６３】
これに対して、本実施の形態の照度分布調整板４０では、等開口率線Ｌが、平面視において、区画領域Ａａの長辺４２と平行に延びる長軸５２を有する楕円形状を有するので、区画領域Ａａの長辺４２近傍の光透過孔４５の開口率と短辺４３近傍の光透過孔４５の開口率との間の差を小さくすることができる。したがって、区画領域Ａａの長辺４２近傍と短辺４３近傍との間で生じ得る、照度分布調整板４０から出射する光の照度ムラを抑制することができる。すなわち、照度分布調整板４０を備えた面光源装置２０の出光面２０ａ内の照度ムラを効果的に抑制することができる。
【００６４】
また、長方形形状を有する区画領域内に、真円形状を有する等開口率線を形成するように複数の光透過孔を配置した場合、光透過孔の開口率が相対的に小さい区画領域の長辺近傍では、隣り合う光透過孔間に存在する基材の、当該隣り合う光透過孔の中心どうしを結ぶ方向に沿った幅は比較的大きくなる。その一方、光透過孔の開口率が相対的に大きい区画領域の短辺近傍では、隣り合う光透過孔間に存在する基材の、当該隣り合う光透過孔の中心どうしを結ぶ方向に沿った幅は比較的小さくなる。したがって、照度分布調整板に外力や振動等が印加された場合に、当該外力や振動等に起因する応力が、区画領域の短辺近傍における、隣り合う光透過孔間に存在する基材が比較的小さい幅を有する部分に集中し、この部分に亀裂や破断等の破損が生じ得る。
【００６５】
これに対して、本実施の形態の照度分布調整板４０では、等開口率線Ｌが、平面視において、区画領域Ａａの長辺４２と平行に延びる長軸５２を有する楕円形状を有するので、区画領域Ａａの長辺４２近傍における、隣り合う光透過孔４５間に存在する基材４１の幅と、区画領域Ａａの短辺４３近傍における、隣り合う光透過孔４５間に存在する基材４１の幅との差を小さくすることができる。したがって、照度分布調整板４０に外力や振動等が印加された場合に、当該外力や振動等に起因する応力が、区画領域Ａａの短辺４３近傍における、隣り合う光透過孔４５間に存在する基材４１に集中することを抑制することができる。すなわち、照度分布調整板４０に外力や振動等が印加された場合に、照度分布調整板４０が破損することを効果的に防止することができる。
【００６６】
なお、等開口率線５０をなす楕円の短軸の長さＷ６の長軸の長さＷ５に対する比（Ｗ６／Ｗ５）は、区画領域Ａａの短辺４３の長さＷ２の長辺４２の長さＷ１に対する比（Ｗ２／Ｗ１）の０．８倍以上１．２倍以下であることが好ましい。さらに好ましくは、比（Ｗ６／Ｗ５）は、比（Ｗ２／Ｗ１）の０．９倍以上１．１倍以下である。すなわち、
（Ｗ２／Ｗ１）×０．８≦（Ｗ６／Ｗ５）≦（Ｗ２／Ｗ１）×１．２  ・・・式（２）
であることが好ましく、
（Ｗ２／Ｗ１）×０．９≦（Ｗ６／Ｗ５）≦（Ｗ２／Ｗ１）×１．１  ・・・式（３）
であることがさらに好ましい。
【００６７】
この場合、区画領域Ａａの長辺４２近傍の光透過孔４５の開口率と短辺４３近傍の光透過孔４５の開口率との間の差をさらに小さくすることができる。また、区画領域Ａａの長辺４２近傍における、隣り合う光透過孔４５間に存在する基材４１の幅と、区画領域Ａａの短辺４３近傍における、隣り合う光透過孔４５間に存在する基材４１の幅との差をさらに小さくすることができる。
【００６８】
本実施の形態の面光源装置２０は、光源２２と、光源２２と対向して配置され光源２２から出射した光の照度分布を調整する照度分布調整板４０とを備え、照度分布調整板４０は、光を透過させる複数の光透過孔４５が形成された基材４１を備え、基材４１は、１以上の区画領域Ａａを有し、各区画領域Ａａは、平面視において長辺４２及び短辺４３を有する長方形形状を有し、各区画領域Ａａにおいて、当該区画領域Ａａは、規則的に配列された複数の要素領域Ａｂにさらに区分けされ、基材４１の法線方向に沿って光源２２に投影したときに光源２２と重なる所定の領域以外の領域に位置する要素領域Ａｂには、それぞれ一つの光透過孔４５が形成され、光透過孔４５は、当該光透過孔４５が形成された要素領域Ａｂの面積に対する所定の開口率を有し、任意の光透過孔４５の中心と、当該光透過孔４５の開口率と等しい開口率を有する他の光透過孔４５の中心又は当該光透過孔４５の開口率と等しい開口率を有すると仮定した仮想等開口率点Ｐと、を通る等開口率線Ｌは、平面視において、長辺４２と平行に延びる長軸５２を有する楕円形状を有する。
【００６９】
本実施の形態の照度分布調整板４０は、光源２２と対向して配置され光源２２から出射した光の照度分布を調整する照度分布調整板４０であって、光を透過させる複数の光透過孔４５が形成された基材４１を備え、基材４１は、１以上の区画領域Ａａを有し、各区画領域Ａａは、平面視において長辺４２及び短辺４３を有する長方形形状を有し、各区画領域Ａａにおいて、当該区画領域Ａａは、規則的に配列された複数の要素領域Ａｂにさらに区分けされ、基材４１の法線方向に沿って光源２２に投影したときに光源２２と重なる所定の領域以外の領域に位置する要素領域Ａｂには、それぞれ一つの光透過孔４５が形成され、光透過孔４５は、当該光透過孔４５が形成された要素領域Ａｂの面積に対する所定の開口率を有し、任意の光透過孔４５の中心と、当該光透過孔４５の開口率と等しい開口率を有する他の光透過孔４５の中心又は当該光透過孔４５の開口率と等しい開口率を有すると仮定した仮想等開口率点Ｐと、を通る等開口率線Ｌは、平面視において、長辺４２と平行に延びる長軸５２を有する楕円形状を有する。
【００７０】
このような面光源装置２０及び照度分布調整板４０によれば、各区画領域Ａａが、平面視において長辺４２及び短辺４３を有する長方形形状を有しており、長辺４２及び短辺４３の長さを互いに独立して変更することが可能である。したがって、任意の長さの長辺４２及び短辺４３で構成される長方形形状を有した区画領域Ａａを配列して、照度分布調整板４０を構成することができる。したがって、平面視において正方形形状を有する区画領域を配列して構成される従来の照度分布調整板と比較して、照度分布調整板４０の長辺及び短辺の長さを、それぞれ高い自由度で設定することができる。すなわち、面光源装置１０の平面視形状の設計の自由度を向上させることが可能となる。
【００７１】
また、等開口率線Ｌが、平面視において、区画領域Ａａの長辺４２と平行に延びる長軸５２を有する楕円形状を有するので、区画領域Ａａの長辺４２近傍の光透過孔４５の開口率と短辺４３近傍の光透過孔４５の開口率との間の差を小さくすることができる。したがって、区画領域Ａａの長辺４２近傍と短辺４３近傍との間で生じ得る、照度分布調整板４０から出射する光の照度ムラを抑制することができる。すなわち、照度分布調整板４０を備えた面光源装置２０の出光面２０ａ内の照度ムラを効果的に抑制することができる。
【００７２】
さらに、等開口率線Ｌが、平面視において、区画領域Ａａの長辺４２と平行に延びる長軸５２を有する楕円形状を有するので、区画領域Ａａの長辺４２近傍における、隣り合う光透過孔４５間に存在する基材４１の幅と、区画領域Ａａの短辺４３近傍における、隣り合う光透過孔４５間に存在する基材４１の幅との差を小さくすることができる。したがって、照度分布調整板４０に外力や振動等が印加された場合に、当該外力や振動等に起因する応力が、区画領域Ａａの短辺４３近傍における、隣り合う光透過孔４５間に存在する基材４１に集中することを抑制することができる。すなわち、照度分布調整板４０に外力や振動等が印加された場合に、照度分布調整板４０が破損することを効果的に防止することができる。
【符号の説明】
【００７３】
１０  表示装置
１５  表示パネル
２０  面光源装置
２２  光源
２３  スペーサ
２６  拡散板
２７  第１光学シート
２８  第２光学シート
３０  ベース積層体
３１  基材
３２  接合層
３３  フィルム基板
３４  配線層
３５  レジスト層
３６  光反射層
３７  導電接続層
４０  照度分布調整板
４１  基材
４２  長辺
４３  短辺
４５  光透過孔
５０  等開口率線
５２  長軸
５３  短軸
Ａａ  区画領域
Ａｂ  要素領域
Ｐ    仮想等開口率点
【図１】
2019061739.tif 000003
【図２】
2019061739.tif 000004
【図３】
2019061739.tif 000005
【図４】
2019061739.tif 000006
【図５】
2019061739.tif 000007
【図６】
2019061739.tif 000008
【図７】
2019061739.tif 000009
【図８】
2019061739.tif 000010